(57)【要約】【課題】信頼性を向上させてＥＳＬを更に低減することのできる積層型コンデンサを提供する。【解決手段】幅方向において、第二主面電極部１２は第一主面電極部１１よりも大きく、第五主面電極部２２は第四主面電極部２１よりも大きく、積層方向から見て、第二主面電極部１２の他端１Ｂ側における外縁１２ｂは、第五主面電極部２２の一端１Ａ側における外縁２２ｂよりも他端１Ｂ側に配置される。更に、第一引出部１４，１６は第二主面電極部１２に接続され、第二引出部２４，２６は第五主面電極部２２に接続される。従って、第二主面電極部１２において第一主面電極部１１よりも大きい部分、及び第五主面電極部２２において第四主面電極部２１よりも大きい部分が、第一引出部１４，１６と第二引出部２４，２６との間の電流経路ＥＬ１，ＥＬ２として機能する。これによって、電流経路ＥＬ１，ＥＬ２を短くする。【選択図】図３
2011091272.tif 000002
【特許請求の範囲】
【請求項１】
複数の誘電体層を積層することによって形成され、一対の端面と前記端面同士を連結する四つの側面を有する素体と、
前記素体の一端側を覆う第一端子電極と、
前記素体の他端側を覆う第二端子電極と、
前記素体の一端側と前記素体の他端側との間で延びるように前記素体の内部に形成され、前記第一端子電極と電気的に接続された第一内部電極と、
前記素体の一端側と前記素体の他端側との間で延びると共に前記第一内部電極との間で前記誘電体層を挟むように前記素体の内部に形成され、前記第二端子電極と電気的に接続された第二内部電極と、を備え、
前記第一端子電極は、前記素体の一端側の前記端面を覆う第一端部と、四つの前記側面における前記素体の一端側を覆う第一側部と、を有し、
前記第二端子電極は、前記素体の他端側の前記端面を覆う第二端部と、四つの前記側面における前記素体の他端側を覆う第二側部と、を有し、
前記第一内部電極は、前記素体の他端側から前記素体の一端側へ向かって順番に第一主面電極部及び第二主面電極部を有すると共に、前記第二主面電極部と前記第一端子電極の第一側部とを接続する第一引出部を有し、
前記第二内部電極は、前記素体の一端側から前記素体の他端側へ向かって順番に第四主面電極部及び第五主面電極部を有すると共に、前記第五主面電極部と前記第二端子電極の第二側部とを接続する第二引出部を有し、
前記第一内部電極及び前記第二内部電極の幅方向において、前記第二主面電極部は前記第一主面電極部よりも大きく、前記第五主面電極部は前記第四主面電極部よりも大きく、
前記素体の積層方向から見て、前記第二主面電極部の前記素体の他端側における外縁は、前記第五主面電極部の前記素体の一端側における外縁よりも他端側に配置されており、あるいは、前記第五主面電極部の前記素体の一端側における外縁と一致するように配置されていることを特徴とする積層型コンデンサ。
【請求項２】
前記第一内部電極及び前記第二内部電極の長手方向において、前記第二主面電極部の前記素体の他端側における外縁は、前記第二引出部まで延びており、前記第五主面電極部の前記素体の一端側における外縁は、前記第一引出部まで延びていることを特徴とする請求項１記載の積層型コンデンサ。
【請求項３】
前記第一引出部は、前記第二主面電極部から前記幅方向へ延びる第一幅狭部を有すると共に、前記第一端子電極の前記第一側部と接続される部分に、前記素体の一端側へ延びる第一接続部を有し、
前記第二引出部は、前記第五主面電極部から前記幅方向へ延びる第二幅狭部を有すると共に、前記第二端子電極の前記第二側部と接続される部分に、前記素体の他端側へ延びる第二接続部を有することを特徴とする請求項１または２記載の積層型コンデンサ。
【請求項４】
前記第一内部電極は、前記第一端子電極の前記第一端部と接続される第一追加引出部を有し、
前記第二内部電極は、前記第二端子電極の前記第二端部と接続される第二追加引出部を有することを特徴とする請求項１〜３のいずれか一項記載の積層型コンデンサ。
【請求項５】
前記第一内部電極は、前記第二主面電極部における前記素体の一端側に第三主面電極部を有し、
前記第二内部電極は、前記第五主面電極部における前記素体の他端側に第六主面電極部を有し、
前記素体の積層方向において、前記第四主面電極部は前記第三主面電極部と重なり合い、前記第一主面電極部は前記第六主面電極部と重なり合い、
前記積層方向から見て、前記第三主面電極部の外縁は、前記第四主面電極部の前記素体の一端側における先端部分を取り囲むように配置されており、前記第六主面電極部の外縁は、前記第一主面電極部の前記素体の他端側における先端部分を取り囲むように配置されていることを特徴とする請求項１〜４のいずれか一項記載の積層型コンデンサ。
【発明の詳細な説明】
【技術分野】
【０００１】
本発明は、積層型コンデンサに関する。
【背景技術】
【０００２】
従来、積層型コンデンサとして、複数の誘電体層を積層することによって形成された素体と、素体の両端部に形成された一対の端子電極と、素体の一方の端面から延びるように素体の内部に形成されて一方の端子電極に接続された第一内部電極と、素体の他方の端面から延びるように素体の内部に形成されて他方の端子電極に接続された第二内部電極とを備えたものが知られている（例えば、特許文献１参照）。
【先行技術文献】
【特許文献】
【０００３】
【特許文献１】実開昭６２−１２４８３６号公報
【発明の概要】
【発明が解決しようとする課題】
【０００４】
一般的に、積層型コンデンサは、微小なインダクタンス成分であるＥＳＬ（等価直列インダクタンス）を有しており、このＥＳＬを低減することが求められていた。上述の積層型コンデンサは、ＥＳＬを低減することを目的としたものであり、実装面に内部電極を近づけることでESLを低減している。しかし、上述の積層型コンデンサでは、ＥＳＬの低減効果が不十分であり、更にESLを低減することが求められていた。また、単に実装面に内部電極を近づけただけの構成では、基板実装時に、適切な実装方向で実装しなくては、ESLの低減効果が得られず、利用性に問題があった。従って、積層型コンデンサとしての信頼性を向上させることが求められていた。
【０００５】
本発明は、上記課題を解決するためになされたものであり、信頼性を向上させると共に、ＥＳＬを更に低減することのできる積層型コンデンサを提供することを目的とする。
【課題を解決するための手段】
【０００６】
本発明に係る積層型コンデンサは、複数の誘電体層を積層することによって形成され、一対の端面と端面同士を連結する四つの側面を有する素体と、素体の一端側を覆う第一端子電極と、素体の他端側を覆う第二端子電極と、素体の一端側と素体の他端側との間で延びるように素体の内部に形成され、第一端子電極と電気的に接続された第一内部電極と、素体の一端側と素体の他端側との間で延びると共に第一内部電極との間で誘電体層を挟むように素体の内部に形成され、第二端子電極と電気的に接続された第二内部電極と、を備え、第一端子電極は、素体の一端側の端面を覆う第一端部と、四つの側面における素体の一端側を覆う第一側部と、を有し、第二端子電極は、素体の他端側の端面を覆う第二端部と、四つの側面における素体の他端側を覆う第二側部と、を有し、第一内部電極は、素体の他端側から素体の一端側へ向かって順番に第一主面電極部及び第二主面電極部を有すると共に、第二主面電極部と第一端子電極の第一側部とを接続する第一引出部を有し、第二内部電極は、素体の一端側から素体の他端側へ向かって順番に第四主面電極部及び第五主面電極部を有すると共に、第五主面電極部と第二端子電極の第二側部とを接続する第二引出部を有し、第一内部電極及び第二内部電極の幅方向において、第二主面電極部は第一主面電極部よりも大きく、第五主面電極部は第四主面電極部よりも大きく、素体の積層方向から見て、第二主面電極部の素体の他端側における外縁は、第五主面電極部の素体の一端側における外縁よりも他端側に配置されており、あるいは、第五主面電極部の素体の一端側における外縁と一致するように配置されていることを特徴とする。
【０００７】
本発明に係る積層型コンデンサでは、第一引出部が第二主面電極部と第一端子電極の第一側部とを接続し、第二引出部が第五主面電極部と第二端子電極の第二側部とを接続している。このように、異極性となる第一引出部と第二引出部が、素体の同一側面に引き出され、各端子電極にも側面に側部が形成されている。従って、内部電極を単に素体の端面から引き出したものに比して、異極性となる第一引出部と第二引出部との間の引出電極間距離が短くなる。すなわち、電流経路が短くなり、ＥＳＬを低減することができる。また、各引出部が素体の側面に引き出されることによって、実装方向によるＥＳＬのばらつきを低減することができる。また、幅方向において、第二主面電極部は第一主面電極部よりも大きく、第五主面電極部は第四主面電極部よりも大きく、積層方向から見て、第二主面電極部の他端側における外縁は、第五主面電極部の一端側における外縁よりも他端側、あるいは一致するように配置されている。更に、第一引出部は第二主面電極部に接続され、第二引出部は第五主面電極部に接続されている。従って、第二主面電極部において第一主面電極部よりも大きい部分及び第五主面電極部において第四主面電極部よりも大きい部分が、第一引出部と第二引出部との間の電流経路として機能し、電流経路を短くすることが可能となる。以上によって、信頼性を向上させると共に、更にＥＳＬを低減することができる。
【０００８】
また、本発明に係る積層型コンデンサにおいて、第一内部電極及び第二内部電極の長手方向において、第二主面電極部の素体の他端側における外縁は、第二引出部まで延びており、第五主面電極部の素体の一端側における外縁は、第一引出部まで延びていることが好ましい。これによって、電流経路（例えば図６のＥＬ１、ＥＬ２）を確実に確保することができ、ＥＳＬを低減することができる。
【０００９】
また、本発明に係る積層型コンデンサにおいて、第一引出部は、第二主面電極部から幅方向へ延びる第一幅狭部を有すると共に、第一端子電極の第一側部と接続される部分に、素体の一端側へ延びる第一接続部を有し、第二引出部は、第五主面電極部から幅方向へ延びる第二幅狭部を有すると共に、第二端子電極の第二側部と接続される部分に、素体の他端側へ延びる第二接続部を有することが好ましい。このような構成とすることによって、接続部よりも素体内側にそれぞれ配置される幅狭部で電流経路を短くすることができ、低ＥＳＬとしつつも、接続部を形成することによって、端子電極との接続性も確保することができる。更に、幅狭部と接続部との間では、誘電体層の表面が露出しているため、誘電体層の露出面積を広くすることができる。誘電体層が露出している部分は、一枚上側の誘電体層の裏面と焼成時に強固に固定される。これによって、素体１の密着性を向上することができる。また、幅狭部によってＥＳＲを調整することができる。
【００１０】
また、本発明に係る積層型コンデンサにおいて、第一内部電極は、第一端子電極の第一端部と接続される第一追加引出部を有し、第二内部電極は、第二端子電極の第二端部と接続される第二追加引出部を有することが好ましい。引出部の数を増やすことによって、一層ＥＳＬを低減することができる。
【００１１】
また、本発明に係る積層型コンデンサにおいて、第一内部電極は、第二主面電極部における素体の一端側に第三主面電極部を有し、第二内部電極は、第五主面電極部における素体の他端側に第六主面電極部を有し、素体の積層方向において、第四主面電極部は第三主面電極部と重なり合い、第一主面電極部は第六主面電極部と重なり合い、積層方向から見て、第三主面電極部の外縁は、第四主面電極部の素体の一端側における先端部分を取り囲むように配置されており、第六主面電極部の外縁は、第一主面電極部の素体の他端側における先端部分を取り囲むように配置されていることが好ましい。積層方向から見て、第三主面電極部の外縁は、第四主面電極部の素体の一端側における先端部分を取り囲むように配置されており、第六主面電極部の外縁は、第一主面電極部の素体の他端側における先端部分を取り囲むように配置されているため、積層ずれが生じたとしても、第三主面電極部は、第四主面電極部と重なった状態を維持することができ、第六主面電極部は、第一主面電極部と重なった状態を維持することができる。従って、積層ずれによる静電容量のばらつきを抑制することができる。
【発明の効果】
【００１２】
本発明によれば、信頼性を向上させると共に、ＥＳＬを更に低減することができる。
【図面の簡単な説明】
【００１３】
【図１】本発明の第一実施形態に係る積層型コンデンサを示す斜視図である。
【図２】素体を誘電体層ごとに展開した展開図である。
【図３】本発明の第一実施形態に係る積層型コンデンサの第一内部電極及び第二内部電極を積層方向から見た図である。
【図４】従来の積層型コンデンサの第一内部電極を積層方向から見た図である。
【図５】本発明の第二実施形態に係る積層型コンデンサの第一内部電極及び第二内部電極を積層方向から見た図である。
【図６】本発明の第三実施形態に係る積層型コンデンサの第一内部電極及び第二内部電極を積層方向から見た図である。
【図７】本発明の第四実施形態に係る積層型コンデンサの第一内部電極及び第二内部電極を積層方向から見た図である。
【図８】本発明の第五実施形態に係る積層型コンデンサの第一内部電極及び第二内部電極を積層方向から見た図である。
【図９】本発明の第六実施形態に係る積層型コンデンサの第一内部電極及び第二内部電極を積層方向から見た図である。
【発明を実施するための形態】
【００１４】
以下、添付図面を参照して、本発明の好適な実施形態について詳細に説明する。なお、説明において、同一要素又は同一機能を有する要素には、同一符号を用いることとし、重複する説明は省略する。
【００１５】
［第一実施形態］
図１〜図３を参照して、本発明の第一実施形態に係る積層型コンデンサＣ１の構成を説明する。図１は、本発明の第一実施形態に係る積層型コンデンサＣ１を示す斜視図である。図２は、素体を誘電体層ごとに展開した展開図である。図３は、第一内部電極及び第二内部電極を積層方向から見た図である。なお、図３（ａ）は第一内部電極を実線で示し第二内部電極を仮想線で示している。図３（ｂ）は第二内部電極を実線で示し、第一内部電極を仮想線で示している。図１に示すように、積層型コンデンサＣ１は、複数の長方形板状の誘電体層を積層して一体化することによって略直方体形状に構成された素体１と、第一端子電極２及び第二端子電極３を備えている。積層型コンデンサＣ１は、長さ、幅、厚さの寸法比率として長さ：幅：厚さ＝２：１：０．６程度であり、例えば、約１．０ｍｍ×０．５ｍｍ×０．３ｍｍ、あるいは約０．６ｍｍ×０．３ｍｍ×０．２ｍｍである。
【００１６】
素体１は、当該素体１の一端１Ａ側の端面１ａ及び他端１Ｂ側の端面１ｂを有している。また、素体１は、端面１ａと端面１ｂとを連結する四つの側面１ｃ，１ｄ，１ｅ，１ｆを有している。
【００１７】
第一端子電極２は、素体１の一端１Ａ側を覆う外部電極である。第一端子電極２は、素体１の端面１ａを覆う第一端部２ａと、側面１ｃの一端１Ａ側を覆う第一側部２ｂと、側面１ｄの一端１Ａ側を覆う第一側部２ｃと、側面１ｅの一端１Ａ側を覆う第一側部２ｄと、側面１ｆの一端１Ａ側を覆う第一側部２ｅとを有している。第二端子電極３は、素体１の他端１Ｂ側を覆う外部電極である。第二端子電極３は、素体１の端面１ｂを覆う第二端部３ａと、側面１ｃの他端１Ｂ側を覆う第二側部３ｂと、側面１ｄの他端１Ｂ側を覆う第二側部３ｃと、側面１ｅの他端１Ｂ側を覆う第二側部３ｄと、側面１ｆの他端１Ｂ側を覆う第二側部３ｅとを有している。第一端子電極２及び第二端子電極３は、素体１の外面にＣｕやＮｉ、あるいはＡｇ、Ｐｄ等を主成分とする導電性ペーストをディップなどによって付着させた後に所定温度（例えば、７００℃程度）にて焼き付け、更に電気メッキを施すことにより、形成される。電気メッキには、Ｎｉ、Ｓｎ等を用いることができる。第一端子電極２及び第二端子電極３の厚さは、１０〜３０μｍに設定される。第一端子電極２の側部２ｂ〜２ｅの他端１Ｂ側への長さ、及び第二端子電極３の側部３ｂ〜３ｅの一端１Ａ側への長さは、素体１の長さに対して３０〜４０％程度に設定される。
【００１８】
素体１は、図２に示すように、複数の長方形板状の誘電体層６と、複数の第一内部電極１０と、第二内部電極２０とが積層された積層体として構成されている。第一内部電極１０と第二内部電極２０は、素体１内において誘電体層６の積層方向（以下、単に「積層方向」と称する。）に沿ってそれぞれ一層ずつ配置されている。第一内部電極１０と第二内部電極２０とは、少なくとも一層の誘電体層６を挟むように対向配置されている。実際の積層型コンデンサＣ１では、複数の誘電体層６は、互いの間の境界が視認できない程度に一体化されている。具体的には、素体１は、図２に示すように、電極パターンが形成されていないセラミックグリーンシートの間に、第一内部電極１０の電極パターンが形成されたセラミックグリーンシートと、第二内部電極２０の電極パターンが形成されたセラミックグリーンシートとを積層させて、焼成することによって一体化されたものである。各セラミックグリーンシートはＢａＴｉＯ３、CａZｒＯ３などを主成分として構成され、その厚さ、すなわち焼成後の誘電体層６の厚さは、１〜２μｍとされている。なお、第一内部電極１０及び第二内部電極２０は、素体１内に複数枚形成されるが、図２においては、第一内部電極１０が形成された誘電体層６と第二内部電極２０が形成された誘電体層６が、それぞれ一枚ずつ示されている。
【００１９】
第一内部電極１０は、素体１の一端１Ａ側と他端１Ｂ側との間で延びるように素体１の内部に形成され、第一端子電極２と電気的に接続されている。第二内部電極２０は、素体１の一端１Ａ側と他端１Ｂ側との間で延びると共に第一内部電極１０との間で誘電体層６を挟むように素体１の内部に形成され、第二端子電極３と電気的に接続されている。第一内部電極１０及び第二内部電極２０は、ＮｉやＮｉ合金などの導電材を含んでおり、当該導電性材料を含む導電性ペーストの焼結体として構成される。焼結後の第一内部電極１０及び第二内部電極２０の厚さは、０．８〜１．５μｍとされている。なお、以下の説明においては、第一内部電極１０及び第二内部電極２０が延びる方向を「長手方向」と称し、長手方向に直交する第一内部電極１０及び第二内部電極２０の幅方向を「幅方向」と称する。
【００２０】
第一内部電極１０は、素体１の他端１Ｂ側から一端１Ａ側へ向かって順番に第一主面電極部１１、第二主面電極部１２、第三主面電極部１３を有すると共に、第二主面電極部１２と第一端子電極２の第一側部２ｃ，２ｅとを接続する一対の第一引出部１４，１６を有している。図２中、第一主面電極部１１、第二主面電極部１２、第三主面電極部１３、及び第一引出部１４，１６は、各領域同士を一点鎖線で区切り、各領域内にハッチング及びドットを付すことによって区別している。
【００２１】
第一主面電極部１１は、第一内部電極１０のうち、他端１Ｂ側に配置される矩形状の領域である。第三主面電極部１３は、第一内部電極１０のうち、一端１Ａ側に配置される矩形状の領域である。第二主面電極部１２は、第一内部電極１０のうち、第一主面電極部１１と第三主面電極部１３との間に配置される矩形状の領域である。第二主面電極部１２の幅方向の大きさは、少なくとも第一主面電極部１１の幅方向の大きさよりも大きい。第二主面電極部１２の幅方向の大きさは、第一主面電極部１１の幅方向の大きさの１２０〜１４０％程度である。また、第一主面電極部１１の他端１Ｂ側の外縁と誘電体層６の外縁６ｃとの間は離間している。第一主面電極部１１と誘電体層６の外縁６ｂとの間、及び第一主面電極部１１と誘電体層６の外縁６ｄとの間は離間している。第二主面電極部１２と誘電体層６の外縁６ｂとの間、及び第二主面電極部１２と誘電体層６の外縁６ｄとの間は離間している。第三主面電極部１３と誘電体層６の外縁６ｂとの間、及び第三主面電極部１３と誘電体層６の外縁６ｄとの間は離間している。第三主面電極部１３の一端１Ａ側の外縁と誘電体層６の外縁６ａとの間は離間している。第一引出部１４は、第二主面電極部１２から幅方向に延びており、誘電体層６の外縁６ｂまで達している。第一引出部１６は、第二主面電極部１２から幅方向に延びており、誘電体層６の外縁６ｄまで達している。第一引出部１４，１６の長手方向における位置は、第一端子電極２の第一側部２ｃ，２ｅに接続できる位置であれば特に限定されない。第一引出部１４，１６は、第二主面電極部１２の幅方向両側縁における一端１A側の端部に配置される。従って、第二主面電極部１２は、幅方向の両外縁における一端１Ａ側の端部に第一引出部１４，１６が形成される領域と定義される。
【００２２】
第一実施形態に係る積層型コンデンサＣ１においては、第二主面電極部１２の他端１Ｂ側の外縁（素体の他端側における外縁）１２ｂは、素体１の長手方向の中央位置よりも他端１Ｂ側に配置されている。一方、第二主面電極部１２の一端１Ａ側の外縁１２ａは、長手方向における第一端子電極２の側部２ｂ〜２ｅの略中央位置に配置されている。また、第一引出部１４，１６は、一端１Ａ側の各外縁が第二主面電極部１２の外縁１２ａと一致するように配置されている。第一主面電極部１１及び第三主面電極部１３の幅方向の大きさは、互いに同一となっている。第二主面電極部１２の幅方向の大きさは、第一主面電極部１１及び第三主面電極部１３の幅方向の大きさよりも大きくなっている。なお、第一内部電極１０は、誘電体層６の幅方向における中心軸線を基準として、線対称な形状となっている。
【００２３】
本実施形態では、第一引出部１４，１６よりも一端１Ａ側には、誘電体層６の表面が露出する露出部３１が形成される。露出部３１は、外縁６ａと第三主面電極部１３との間の辺部３１ａと、外縁６ｂと第三主面電極部１３との間の辺部３１ｂと、外縁６ｄと第三主面電極部１３との間の辺部３１ｃとを有している。第一引出部１４，１６よりも他端１Ｂ側には、誘電体層６の表面が露出する露出部３２が形成される。露出部３２は、外縁６ｃと第一主面電極部１１との間の辺部３２ａと、外縁６ｂと第一主面電極部１１及び第二主面電極部１２との間の辺部３２ｂと、外縁６ｄと第一主面電極部１１及び第二主面電極部１２との間の辺部３２ｃとを有している。
【００２４】
第二内部電極２０は、素体１の一端１Ａ側から他端１Ｂ側へ向かって順番に第四主面電極部２１、第五主面電極部２２、第六主面電極部２３を有すると共に、第五主面電極部２２と第二端子電極３の第二側部３ｃ，３ｅとを接続する一対の第二引出部２４，２６を有している。図２中、第四主面電極部２１、第五主面電極部２２、第六主面電極部２３、及び第二引出部２４，２６は、各領域同士を一点鎖線で区切り、各領域内にハッチング及びドットを付すことによって区別している。なお、第二内部電極２０は、素体１の積層方向における中心軸線を基準として、第一内部電極１０を１８０°点対象移動させた形状をなしている。
【００２５】
第四主面電極部２１は、第二内部電極２０のうち、一端１Ａ側に配置される矩形状の領域である。第六主面電極部２３は、第二内部電極２０のうち、他端１Ｂ側に配置される矩形状の領域である。第五主面電極部２２は、第二内部電極２０のうち、第四主面電極部２１と第六主面電極部２３との間に配置される矩形状の領域である。第五主面電極部２２の幅方向の大きさは、少なくとも第四主面電極部２１の幅方向の大きさよりも大きい。第五主面電極部２２の幅方向の大きさは、第四主面電極部２１の幅方向の大きさの１２０〜１４０％程度である。また、第四主面電極部２１の一端１Ａ側の外縁と誘電体層６の外縁６ａとの間は離間している。第四主面電極部２１と誘電体層６の外縁６ｂとの間、及び第四主面電極部２１と誘電体層６の外縁６ｄとの間は離間している。第五主面電極部２２と誘電体層６の外縁６ｂとの間、及び第五主面電極部２２と誘電体層６の外縁６ｄとの間は離間している。第六主面電極部２３と誘電体層６の外縁６ｂとの間、及び第六主面電極部２３と誘電体層６の外縁６ｄとの間は離間している。第六主面電極部２３の他端１Ｂ側の外縁と誘電体層６の外縁６ｃとの間は離間している。第二引出部２４は、第五主面電極部２２から幅方向に延びており、誘電体層６の外縁６ｂまで達している。第二引出部２６は、第五主面電極部２２から幅方向に延びており、誘電体層６の外縁６ｄまで達している。第二引出部２４，２６の長手方向における位置は、第二端子電極３の第二側部３ｃ，３ｅに接続できる位置であれば特に限定されない。第二引出部２４，２６は、第五主面電極部２２の幅方向両側縁における他端１B側の端部に配置される。第五主面電極部２２は、幅方向の両外縁における他端１Ｂ側の端部に第二引出部２４，２６が形成される領域と定義される。
【００２６】
第一実施形態に係る積層型コンデンサＣ１においては、第五主面電極部２２の一端１Ａ側の外縁（素体の一端側における外縁）２２ｂは、素体１の長手方向の中央位置よりも一端１Ａ側に配置されている。一方、第五主面電極部２２の他端１Ｂ側の外縁２２ａは、長手方向における第二端子電極３の側部３ｂ〜３ｅの略中央位置に配置されている。また、第二引出部２４，２６は、他端１Ｂ側の各外縁が第五主面電極部２２の外縁２２ａと一致するように配置されている。第四主面電極部２１及び第六主面電極部２３の幅方向の大きさは、互いに同一となっている。第五主面電極部２２の幅方向の大きさは、第四主面電極部２１及び第六主面電極部２３の幅方向の大きさよりも大きくなっている。なお、第二内部電極２０は、誘電体層６の幅方向における中心軸線を基準として、線対称な形状となっている。
【００２７】
本実施形態では、第二引出部２４，２６よりも他端１Ｂ側には、誘電体層６の表面が露出する露出部４１が形成される。露出部４１は、外縁６ｃと第六主面電極部２３との間の辺部４１ａと、外縁６ｂと第六主面電極部２３との間の辺部４１ｂと、外縁６ｄと第六主面電極部２３との間の辺部４１ｃとを有している。第二引出部２４，２６よりも一端１Ａ側には、誘電体層６の表面が露出する露出部４２が形成される。露出部４２は、外縁６ａと第四主面電極部２１との間の辺部４２ａと、外縁６ｂと第四主面電極部２１及び第五主面電極部２２との間の辺部４２ｂと、外縁６ｄと第四主面電極部２１及び第五主面電極部２２との間の辺部４２ｃとを有している。
【００２８】
このように形成された第一内部電極１０と第二内部電極２０とが、積層方向から見てどのように重なりあうかについて説明する。第一内部電極１０の第一主面電極部１１、第三主面電極部１３、及び第二内部電極２０の第四主面電極部２１、第六主面電極部２３の幅方向の大きさはいずれも同一である。また、第一内部電極１０の第二主面電極部１２と第二内部電極２０の第五主面電極部２２の幅方向の大きさは同一である。また、第一主面電極部１１と第六主面電極部２３の他端１Ｂ側の外縁は、互いに一致する。第三主面電極部１３と第四主面電極部２１の一端１Ａ側の外縁は、互いに一致する。従って、第一主面電極部１１は、第六主面電極部２３と重なり合うと共に第五主面電極部２２の他端１Ｂ側の一部と重なり合う。第二主面電極部１２は、第五主面電極部２２の一部と重なり合うと共に第四主面電極部２１の一部と重なり合う。第三主面電極部１３は、第四主面電極部２１の一端１Ａ側の一部と重なり合う。重なり合う部分においてコンデンサの容量成分が形成される。
【００２９】
ここで、第二主面電極部１２の幅方向の縁部１２ｃ及び第五主面電極部２２の幅方向の縁部２２ｃは、第一引出部１４と第二引出部２４との間の電流経路ＥＬ１として機能する。また、第二主面電極部１２の幅方向の縁部１２ｄ及び第五主面電極部２２の幅方向の縁部２２ｄは、第一引出部１６と第二引出部２６との間の電流経路ＥＬ２として機能する。従って、縁部１２ｃと縁部２２ｃとが重なり合っているか、あるいは縁部１２ｃの他端１Ｂ側の外縁１２ｂと縁部２２ｃの一端１Ａ側の外縁２２ｂとが一致している必要がある。また、縁部１２ｄと縁部２２ｄとが重なり合っているか、あるいは縁部１２ｄの他端１Ｂ側の外縁１２ｂと縁部２２ｄの一端１Ａ側の外縁２２ｂとが一致している必要がある。すなわち、積層方向から見て、第二主面電極部１２の他端１Ｂ側における外縁１２ｂは、第五主面電極部２２の一端１Ａ側における外縁２２ｂよりも他端１Ｂ側に配置されており、あるいは、第五主面電極部２２の一端１Ａ側における外縁２２ｂと一致するように配置されている必要がある。本実施形態においては、第一内部電極１２の外縁１２ｂは、第二内部電極２０の第二引出部２４，２６の手前まで延びており、第五主面電極部２２の外縁２２ｂは、第一内部電極１０の第一引出部１４，１６の手前まで延びている。従って、縁部１２ｃと縁部２２ｃとが重なり合い、縁部１２ｄと縁部２２ｄとが重なり合う。
【００３０】
また、素体１の焼成時において、誘電体層６同士が接触する部分は、誘電体層６と内部電極とが接触する部分よりも強固に固定される。従って、露出部３１、露出部３２、露出部４１及び露出部４２は、素体１の焼成時に、一枚上側の誘電体層６の裏面と強固に密着される。特に、第一内部電極１０については、素体１の他端１Ｂ側の露出部３２のみならず、一端１Ａ側にも露出部３１が形成されている。また、第二内部電極２０については、素体１の一端１Ａ側の露出部４２のみならず、他端１Ｂ側にも露出部４１が形成されている。従って、素体１は、両端側において、各誘電体層６同士が強固に固定され、密着性が向上する。
【００３１】
次に、図３及び図４を参照して、本実施形態に係る積層型コンデンサＣ１の作用・効果について説明する。図４は、従来の積層型コンデンサにおける内部電極を積層方向から見た図である。図４（ａ）に示すように、従来の積層型コンデンサの内部電極１１０は、第二主面電極部１１２の幅方向の大きさが第一主面電極部１１及び第三主面電極部１３の幅方向の大きさと同一である。すなわち、第一内部電極１１０は、長方形状をなしている。その結果、第一引出部１４，１６が本実施形態に係る積層型コンデンサＣ１に比して長くなる。第二内部電極も同様な形状をなしている。図４（ａ）に示す従来の積層型コンデンサでは、電流経路ＥＬ１，ＥＬ２が長くＥＳＬが大きくなってしまう。一方、図４（ｂ）に示す従来の積層型コンデンサの第一内部電極２１０は、第一主面電極部２１１、第二主面電極部２１２、第三主面電極部２１３全ての幅が広くされている。すなわち、第一内部電極２１０は、単に幅が広くされた長方形状をなしている。この場合、電流経路ＥＬ１，ＥＬ２は、図４（ａ）に比して短くなり、ＥＳＬは低減される。しかし、第一主面電極部２１１の他端１Ｂ側のコーナー部と、素体１における端面１ｂ及び側面１ｅ，１ｆのコーナー部との間の距離が短くなりすぎてしまい、内部電極の一部が素体１表面から露出する可能性もある。
【００３２】
本実施形態に係る積層型コンデンサＣ１では、第一引出部１４が第二主面電極部１２と第一端子電極２の第一側部２ｃとを接続し、第二引出部２４が第五主面電極部２２と第二端子電極３の第二側部３ｃとを接続している。また、第一引出部１６が第二主面電極部１２と第一端子電極２の第一側部２ｅとを接続し、第二引出部２６が第五主面電極部２２と第二端子電極３の第二側部３ｅとを接続している。このように、異極性となる第一引出部１４と第二引出部２４が、素体１の同一側面１ｅ側に引き出され、各端子電極２，３にも側面１ｅ側に側部２ｃ，３ｃが形成されている。また、異極性となる第一引出部１６と第二引出部２６が、素体１の同一側面１ｆ側に引き出され、各端子電極２，３にも側面１ｆ側に側部２ｅ，３ｅが形成されている。従って、内部電極を単に素体１の端面１ａや端面１ｂから引き出したものに比して、異極性となる第一引出部１４，１６と第二引出部２４，２６との間の引出電極間距離が短くなる。すなわち、電流経路ＥＬ１，ＥＬ２が短くなり、ＥＳＬを低減することができる。また、各引出部が素体１の側面に引き出されることによって、実装方向によるＥＳＬのばらつきを低減することができる。また、幅方向において、第二主面電極部１２は第一主面電極部１１よりも大きく、第五主面電極部２２は第四主面電極部２１よりも大きく、積層方向から見て、第二主面電極部１２の他端１Ｂ側における外縁１２ｂは、第五主面電極部２２の一端１Ａ側における外縁２２ｂよりも他端１Ｂ側に配置されている。更に、第一引出部１４，１６は第二主面電極部１２に接続され、第二引出部２４，２６は第五主面電極部２２に接続されている。従って、第二主面電極部１２において第一主面電極部１１よりも大きい部分である縁部１２ｃ，１２ｄ、及び第五主面電極部２２において第四主面電極部２１よりも大きい部分である縁部２２ｃ，２２ｄが、第一引出部１４，１６と第二引出部２４，２６との間の電流経路ＥＬ１，ＥＬ２として機能する。これによって、電流経路ＥＬ１，ＥＬ２を短くすることが可能となり、ＥＳＬを低減することができる。
【００３３】
［第二実施形態］
本発明の第二実施形態に係る積層型コンデンサについて、図５を参照して説明する。図５は、第二実施形態に係る積層型コンデンサの第一内部電極及び第二内部電極を積層方向から見た図である。第二実施形態に係る積層型コンデンサは、第一内部電極３１０の第二主面電極部３１２及び第二内部電極３２０の第五主面電極部３２２の長手方向の長さが短い点で、第一実施形態に係る積層型コンデンサと主に相違している。
【００３４】
具体的には、第一内部電極３１０の第二主面電極部３１２の他端１Ｂ側の外縁３１２ｂが、素体１の長手方向の中央位置に配置されている。それに合わせて第一主面電極部３１１の一端１Ａ側の端部も素体１の長手方向の中央位置に配置される。第二内部電極３２０の第五主面電極部３２２の一端１Ａ側の外縁３２２ｂが、素体１の長手方向の中央位置に配置されている。それに合わせて第四主面電極部３２１の他端１Ｂ側の端部も素体１の長手方向の中央位置に配置される。これによって、積層方向から見て、第二主面電極部３１２の他端１Ｂ側における外縁３１２ｂは、第五主面電極部３２２の一端１Ａ側における外縁３２２ｂと一致するように配置される。従って、第二主面電極部３１２において第一主面電極部３１１よりも大きい部分である縁部３１２ｃ，３１２ｄ、及び第五主面電極部３２２において第四主面電極部３２１よりも大きい部分である縁部３２２ｃ，３２２ｄが、第一引出部１４，１６と第二引出部２４，２６との間の電流経路ＥＬ１，ＥＬ２として機能する。これによって、電流経路ＥＬ１，ＥＬ２を短くすることが可能となり、ＥＳＬを低減することができる。
【００３５】
［第三実施形態］
本発明の第三実施形態に係る積層型コンデンサについて、図６を参照して説明する。図６は、第三実施形態に係る積層型コンデンサの第一内部電極及び第二内部電極を積層方向から見た図である。第三実施形態に係る積層型コンデンサは、長手方向において、第二主面電極部の他端１B側における外縁が、第二引出部まで延びており、第五主面電極部の素体の一端１A側における外縁が、第一引出部まで延びている点で、第一実施形態に係る積層型コンデンサと相違する。
【００３６】
具体的に、第一内部電極４１０の第二主面電極部４１２の他端１Ｂ側の外縁４１２ｂは、第二内部電極４２０の第五主面電極部４２２の他端１Ｂ側の外縁４２２ａ（すなわち、第二引出部２４，２６の他端１Ｂ側の外縁）と一致する。第二内部電極４２０の第五主面電極部４２２の一端１Ａ側の外縁４２２ｂは、第一内部電極４１０の第二主面電極部４１２の一端１Ａ側の外縁４１２ａ（すなわち、第一引出部１４，１６の一端１Ａ側の外縁）と一致する。このように、長手方向において、第二主面電極部４１２の他端１B側における外縁４１２ｂは、第二引出部２４，２６まで延びており、第五主面電極部４２２の一端１A側における外縁４２２ｂは、第一引出部１４，１６まで延びているこれによって、電流経路ＥＬ１，ＥＬ２を確実に確保することができ、これによってＥＳＬを低減することができる。
【００３７】
［第四実施形態］
本発明の第四実施形態に係る積層型コンデンサについて、図７を参照して説明する。図７は、第四実施形態に係る積層型コンデンサの第一内部電極及び第二内部電極を積層方向から見た図である。第四実施形態に係る積層型コンデンサは、積層方向から見て、第三主面電極部５１３の外縁は、第四主面電極部２１の一端１Ａ側における先端部分を取り囲むように配置されており、第六主面電極部５２３の外縁は、第一主面電極部１１の他端１Ｂ側における先端部分を取り囲むように配置されている点で、第一実施形態に係る積層型コンデンサと相違する。
【００３８】
具体的には、第一内部電極５１０の第三主面電極部５１３の幅方向の大きさが、第二主面電極部１２の幅方向の大きさと同一である。これによって、第一内部電極５１０の第三主面電極部５１３は第二内部電極５２０の第四主面電極部２１よりも大きくなる。また、第二内部電極５２０の第六主面電極部５２３の幅方向の大きさが、第五主面電極部２２の幅方向の大きさと同一である。これによって、第二内部電極５２０の第六主面電極部５２３は第一内部電極５１０の第一主面電極部１１よりも大きくなる。例えば、積層方向から見て、第一内部電極の第三主面電極部と第二内部電極の第四主面電極の大きさが同一であった場合、誘電体層６の積層時に積層ずれが生じたとき、第三主面電極部と第四主面電極部との間に重なり合わず、容量成分を形成しない領域が発生する。これによって、積層型コンデンサの静電容量のばらつきが生じる可能性がある。しかし、第四実施形態に係る積層型コンデンサでは、積層方向から見て、第三主面電極部５１３の外縁は、第四主面電極部２１の一端１Ａ側における先端部分を取り囲むように配置されており、第六主面電極部５２３の外縁は、第一主面電極部１１の他端１Ｂ側における先端部分を取り囲むように配置されているため、積層ずれが生じたとしても、第三主面電極部５１３は、第四主面電極部２１と重なった状態を維持することができ、第六主面電極部５２３は、第一主面電極部１１と重なった状態を維持することができる。従って、積層ずれによる静電容量のばらつきを抑制することができる。
【００３９】
［第五実施形態］
本発明の第五実施形態に係る積層型コンデンサについて、図８を参照して説明する。図８は、第五実施形態に係る積層型コンデンサの第一内部電極及び第二内部電極を積層方向から見た図である。第五実施形態に係る積層型コンデンサは、第一内部電極６１０の第一引出部６１４，６１６、及び第二内部電極６２０の第二引出部６２４，６２６の形状が、第一実施形態に係る積層型コンデンサと相違する。
【００４０】
具体的に、第一内部電極６１０の第一引出部６１４，６１６は、第二主面電極部１２から幅方向へそれぞれ延びる第一幅狭部６１４ａ，６１６ａを有すると共に、第一端子電極２の第一側部２ｃ，２ｅと接続される部分に、一端１Ａ側へ延びる第一接続部６１４ｂ，６１６ｂを有している。また、第二内部電極６２０の第二引出部６２４，６２６は、第五主面電極部２２から幅方向へそれぞれ延びる第二幅狭部６２４ａ，６２６ａを有すると共に、第二端子電極３の第二側部３ｃ，３ｅと接続される部分に、他端１Ｂ側へ延びる第二接続部６２４ｂ，６２６ｂを有する。第一引出部６１４，６１６は、第一実施形態に係る第一引出部１４，１６に対して、一端１Ａ側から他端１Ｂ側へ延びるスリット６１４ｃ，６１６ｃが形成された形状である。また、第二引出部６２４，６２６は、第一実施形態に係る第二引出部２４，２６に対して、他端１Ｂ側から一端１Ａ側へ延びるスリット６２４ｃ，６２６ｃが形成された形状である。スリット６１４ｃ，６１６ｃ，６２４ｃ，６２６ｃの長手方向において引出部１４，１６，２４，２６に対してスリットの占める割合は５０〜７０％であり、幅方向において引出部１４、１６，２４，２６に対してスリットの占める割合は３０〜５０％である。このような構成とすることによって、素体１内側にそれぞれ配置される幅狭部６１４ａ，６１６ａ，６２４ａ，６２６ａで電流経路ＥＬ１，ＥＬ２を短くすることができ、低ＥＳＬとしつつも、接続部６１４ｂ，６１６ｂ，６２４ｂ，６２６ｂを形成することによって、端子電極２，３との接続性も確保することができる。更に、幅狭部６１４ａ，６１６ａ，６２４ａ，６２６ａと接続部６１４ｂ，６１６ｂ，６２４ｂ，６２６ｂとの間のスリット６１４ｃ，６１６ｃ，６２４ｃ，６２６ｃでは、誘電体層６の表面が露出しているため、各露出部３１，３２，４１，４２の露出面積を広くすることができる。これによって、素体１の密着性を向上することができる。また、幅狭部６１４ａ，６１６ａ，６２４ａ，６２６ａによってＥＳＲを調整することができる。
【００４１】
［第六実施形態］
本発明の第六実施形態に係る積層型コンデンサについて、図９を参照して説明する。図９は、第六実施形態に係る積層型コンデンサの第一内部電極及び第二内部電極を積層方向から見た図である。第六実施形態に係る積層型コンデンサは、第一内部電極７１０が第一追加引出部７１７を有し、第二内部電極７２０が第二追加引出部７２７を有している点で、第一実施形態に係る積層型コンデンサと相違する。第一追加引出部７１７は、第三主面電極部１３の一端１Ａ側の外縁から第一端子電極２の第一端部２ａへ延びている。第二追加引出部７２７は、第六主面電極部２３の他端１Ｂ側の外縁から第二端子電極３の第二端部３ａへ延びている。引出部の数を増やすことによって、一層ＥＳＬを低減することができる。
【００４２】
本発明は、上述した実施形態に限定されるものではない。例えば、図１に示す積層型コンデンサＣ１では、端子電極２，３は、四つの側面を覆っていたが、少なくとも側面１ｄ，１ｆが覆われていればよく、側面１ｃ，１ｅが覆われていなくてもよい。
【００４３】
また、本発明においては、第三主面電極部、すなわち第一引出部よりも一端１Ａ側の大きさや形状は特に限定されない。また、第三主面電極部が省略され、第一内部電極が第一主面電極部、第二主面電極部、及び第一引出部のみで構成されていてもよい。また、第六主面電極部、すなわち第二引出部よりも他端１Ｂ側の大きさや形状は特に限定されない。また、第六主面電極部が省略され、第二内部電極が第四主面電極部、第五主面電極部、及び第二引出部のみで構成されていてもよい。
【符号の説明】
【００４４】
１…素体、１ａ，１ｂ…端面、１ｃ，１ｄ，１ｅ，１ｆ…側面、１Ａ…素体の一端、１Ｂ…素体の他端、２…第一端子電極、２ａ…第一端部、２ｂ，２ｃ，２ｄ，２ｅ…第一側部、３…第二端子電極、３ａ…第二端部、３ｂ，３ｃ，３ｄ，３ｅ…第二側部、６…誘電体層、１０，３１０，４１０，５１０，６１０，７１０…第一内部電極、１１，３１１，４１１…第一主面電極部、１２，３１２，４１２…第二主面電極部、１２ｂ，３１２ｂ，４１２ｂ…外縁（素体の他端側における外縁）１３，５１３…第三主面電極部、１４，１６，６１４，６１６…第一引出部、６１４ａ，６１６ａ…第一幅狭部、６１４ｂ，６１６ｂ…第一接続部、２０，３２０，４２０，５２０，６２０，７２０…第二内部電極、２１，３２１，４２１…第四主面電極部、２２，３２２，４２２…第五主面電極部、２２ｂ，３２２ｂ，４２２ｂ…外縁（素体の一端側における外縁）、２３，５２３…第六主面電極部、２４，２６，６２４，６２６…第二引出部、６２４ａ，６２６ａ…第二幅狭部、６１４ｂ，６１６ｂ…第二接続部、７１７…第一追加引出部、７２７…第二追加引出部。
【図１】
2011091272.tif 000003
【図２】
2011091272.tif 000004
【図３】
2011091272.tif 000005
【図４】
2011091272.tif 000006
【図５】
2011091272.tif 000007
【図６】
2011091272.tif 000008
【図７】
2011091272.tif 000009
【図８】
2011091272.tif 000010
【図９】
2011091272.tif 000011